(57)【要約】【課題】  飾りピンを簡易かつ強固に固定することができる飾りピンの固定方法および時計を提供する。【解決手段】  駒２１Ａの側面に飾りピン３０を挿入する挿入穴５０を設け、この挿入穴５０に飾りピン３０を挿入した後に、駒２１Ａ、２１Ｂの裏側から飾りピン３０の軸を貫通する袋穴５２を設けてこの袋穴５２にピン６０を打ち込んで飾りピン３０の抜け止めを行うと共に、袋穴５２の入口をかしめてピン６０の抜け止めを行うようにした。【選択図】      図３
2005160531.tif 000002
【特許請求の範囲】
【請求項１】
時計バンドの一部を構成する駒または時計本体に対し、前記駒または時計本体の側面に飾りピンを挿入する第１の穴を設け、この第１の穴に前記飾りピンを挿入した後に、前記駒または時計本体の裏側から前記飾りピンの軸を貫通する第２の穴を設け、この第２の穴に棒状ピンを打ち込んで前記飾りピンの抜け止めを行うと共に、前記第２の穴の入口をかしめて前記棒状ピンの抜け止めを行うことを特徴とする飾りピンの固定方法。
【請求項２】
時計バンドの一部を構成する駒または時計本体に対し、前記駒または時計本体の側面に飾りピンを挿入する第１の穴を設け、この第１の穴に前記飾りピンを挿入した後に、前記駒または時計本体の裏側から前記飾りピンの軸を貫通する第２の穴を設け、この第２の穴にスプリングピンを打ち込んで前記飾りピンの抜け止めを行うことを特徴とする飾りピンの固定方法。
【請求項３】
前記スプリングピンは、端部の径が他の部分の径に比して小さく、かつ、軸方向に渡ってジグザグ状の隙間が形成されたリング状の弾性部材であることを特徴とする請求項２に記載の飾りピンの固定方法。
【請求項４】
時計バンドの一部を構成する駒または時計本体に対し、前記駒または時計本体の側面に飾りピンを挿入する第１の穴を設けると共に、前記駒または時計本体の裏側から前記第１の穴と連通する第２の穴を設け、前記第１の穴に前記飾りピンを挿通した後に、前記飾りピンの前記第２の穴から露出する部分を変形させて前記飾りピンの抜け止めを行うことを特徴とする飾りピンの固定方法。
【請求項５】
時計本体と、一または複数の駒を有する時計バンドとを備え、飾りピンが設けられる時計において、
前記飾りピンが設けられる駒または時計本体には、前記駒または時計本体の側面に前記飾りピンが挿入される第１の穴が設けられ、この第１の穴に前記飾りピンが挿入された後に、前記駒または時計本体の裏側から前記飾りピンの軸を貫通する第２の穴が設けられ、この第２の穴に棒状ピンが打ち込まれて前記飾りピンの抜け止めが施される共に、前記第２の穴の入口がかしめられて前記棒状ピンの抜け止めが施されていることを特徴とする時計。
【請求項６】
時計本体と、一または複数の駒を有する時計バンドとを備え、飾りピンが設けられる時計において、
前記飾りピンが設けられる駒または時計本体には、前記駒または時計本体の側面に前記飾りピンが挿入される第１の穴が設けられ、この第１の穴に前記飾りピンが挿入された後に、前記駒または時計本体の裏側から前記飾りピンの軸を貫通する第２の穴が設けられ、この第２の穴にスプリングピンが打ち込まれて前記飾りピンの抜け止めが施されていることを特徴とする時計。
【請求項７】
前記スプリングピンは、端部の径が他の部分の径に比して小さく、かつ、軸方向に渡ってジグザグ状の隙間が形成されたリング状の弾性部材であることを特徴とする請求項６に記載の時計。
【請求項８】
時計本体と、一または複数の駒を有する時計バンドとを備え、飾りピンが設けられる時計において、
前記飾りピンが設けられる駒または時計本体には、前記駒または時計本体の側面に前記飾りピンを挿入する第１の穴が設けられると共に、前記駒または時計本体の裏側から前記第１の穴と連通する第２の穴が設けられ、前記第１の穴に前記飾りピンが挿通された後に、前記飾りピンの前記第２の穴から露出する部分が変形されて前記飾りピンの抜け止めが施されていることを特徴とする時計。
【発明の詳細な説明】
【技術分野】
【０００１】
本発明は、飾りピンの固定方法および飾りピンが設けられる時計に関する。
【背景技術】
【０００２】
従来、時計バンドの駒や時計ケースに飾りピンを固定する場合は、飾りピンの軸を駒や時計ケースに予め形成した穴に打ち込んだり、ロウ付けによって飾りピンを固定している。この種のピンを駒や時計ケースに打ち込んで固定する場合、ピンの軸にローレットを転造する等してピンを抜けにくくしたものがある（例えば、特許文献１）。
【特許文献１】登録実用新案第３０５８２７６号公報
【発明の開示】
【発明が解決しようとする課題】
【０００３】
しかしながら、ローレットを形成しても、飾りピンをドライバー等で強引に回転させたり、飾りピンを強引に引き抜くと外れてしまうという問題がある。また、ロウ付けの場合は、アルミニウム合金には向かない、といった材質的な制限があり、また、コストが高くなってしまうという問題もある。
本発明は、上述した事情に鑑みてなされたものであり、飾りピンを簡易かつ強固に固定することができる飾りピンの固定方法および時計を提供することを目的としている。
【課題を解決するための手段】
【０００４】
上述課題を解決するため、本発明は、時計バンドの一部を構成する駒または時計本体に対し、前記駒または時計本体の側面に飾りピンを挿入する第１の穴を設け、この第１の穴に前記飾りピンを挿入した後に、前記駒または時計本体の裏側から前記飾りピンの軸を貫通する第２の穴を設け、この第２の穴に棒状ピンを打ち込んで前記飾りピンの抜け止めを行うと共に、前記第２の穴の入口をかしめて前記棒状ピンの抜け止めを行うことを特徴とする。この構成によれば、棒状ピンによって飾りピンの抜け止めを行うと共に、第２の穴の入口をかしめて棒状ピンの抜け止めを行うので、飾りピンを強引に回転させたり、飾りピンを強引に引き抜こうとしても、飾りピンが抜けることはない。
【０００５】
また、本発明は、時計バンドの一部を構成する駒または時計本体に対し、前記駒または時計本体の側面に飾りピンを挿入する第１の穴を設け、この第１の穴に前記飾りピンを挿入した後に、前記駒または時計本体の裏側から前記飾りピンの軸を貫通する第２の穴を設け、この第２の穴にスプリングピンを打ち込んで前記飾りピンの抜け止めを行うことを特徴とする。この構成によれば、スプリングピンを打ち込んで飾りピンの抜け止めを行うので、飾りピンを強引に回転させたり、飾りピンを強引に引き抜こうとしても、スプリングピン及び飾りピンが抜けることはない。上記構成においては、前記スプリングピンは、端部の径が他の部分の径に比して小さく、かつ、軸方向に渡ってジグザグ状の隙間が形成されたリング状の弾性部材であることが好ましい。
【０００６】
また、本発明は、時計バンドの一部を構成する駒または時計本体に対し、前記駒または時計本体の側面に飾りピンを挿入する第１の穴を設けると共に、前記駒または時計本体の裏側から前記第１の穴と連通する第２の穴を設け、前記第１の穴に前記飾りピンを挿通した後に、前記飾りピンの前記第２の穴から露出する部分を変形させて前記飾りピンの抜け止めを行うことを特徴とする。この構成によれば、飾りピンの第２の穴から露出する部分を変形させて飾りピンの抜け止めを行うので、飾りピンを強引に回転させたり、飾りピンを強引に引き抜こうとしても、飾りピンが抜けることはない。
【０００７】
また、本発明は、時計本体と、一または複数の駒を有する時計バンドとを備え、飾りピンが設けられる時計において、前記飾りピンが設けられる駒または時計本体には、前記駒または時計本体の側面に前記飾りピンが挿入される第１の穴が設けられ、この第１の穴に前記飾りピンが挿入された後に、前記駒または時計本体の裏側から前記飾りピンの軸を貫通する第２の穴が設けられ、この第２の穴に棒状ピンが打ち込まれて前記飾りピンの抜け止めが施される共に、前記第２の穴の入口がかしめられて前記棒状ピンの抜け止めが施されていることを特徴とする。この構成によれば、棒状ピンによって飾りピンの抜け止めが施されると共に、第２の穴の入口がかしめられて棒状ピンの抜け止めが施されているので、飾りピンを強引に回転させたり、飾りピンを強引に引き抜こうとしても、飾りピンが抜けることはない。
【０００８】
また、本発明は、時計本体と、一または複数の駒を有する時計バンドとを備え、飾りピンが設けられる時計において、前記飾りピンが設けられる駒または時計本体には、前記駒または時計本体の側面に前記飾りピンが挿入される第１の穴が設けられ、この第１の穴に前記飾りピンが挿入された後に、前記駒または時計本体の裏側から前記飾りピンの軸を貫通する第２の穴が設けられ、この第２の穴にスプリングピンが打ち込まれて前記飾りピンの抜け止めが施されていることを特徴とする。この構成によれば、スプリングピンが打ち込まれて飾りピンの抜け止めが施されるので、飾りピンを強引に回転させたり、飾りピンを強引に引き抜こうとしても、スプリングピン及び飾りピンが抜けることはない。上記構成においては、前記スプリングピンは、端部の径が他の部分の径に比して小さく、かつ、軸方向に渡ってジグザグ状の隙間が形成されたリング状の弾性部材であることが好ましい。
【０００９】
また、本発明は、時計本体と、一または複数の駒を有する時計バンドとを備え、飾りピンが設けられる時計において、前記飾りピンが設けられる駒または時計本体には、前記駒または時計本体の側面に前記飾りピンを挿入する第１の穴が設けられると共に、前記駒または時計本体の裏側から前記第１の穴と連通する第２の穴が設けられ、前記第１の穴に前記飾りピンが挿通された後に、前記飾りピンの前記第２の穴から露出する部分が変形されて前記飾りピンの抜け止めが施されていることを特徴とする。この構成によれば、飾りピンの第２の穴から露出する部分が変形されて飾りピンの抜け止めが施されているので、飾りピンを強引に回転させたり、飾りピンを強引に引き抜こうとしても、飾りピンが抜けることはない。
【発明の効果】
【００１０】
本発明は、駒または時計本体の側面に飾りピンを挿入する第１の穴を設け、この第１の穴に前記飾りピンを挿入した後に、駒または時計本体の裏側から飾りピンの軸を貫通する第２の穴を設け、この第２の穴に棒状ピンを打ち込んで飾りピンの抜け止めを行うと共に、第２の穴の入口をかしめて棒状ピンの抜け止めを行うことにより、飾りピンを簡易かつ強固に固定することができる。
【発明を実施するための最良の形態】
【００１１】
以下、図面を参照しつつ本発明の実施の形態について説明する。
図１は、本発明の実施形態に係る腕時計１の外観構成を示す図である。この腕時計１は、時刻表示を行う時計本体１０と、この時計本体１０の両端に連結されたバンド２０とから構成される。時計本体１０は、ステンレス、チタン等で形成された時計ケース１１内に、時計表示部１２が内蔵されて構成される。なお、本実施形態では、時刻をアナログ表示する腕時計を例示したが、時刻をデジタル表示する腕時計であってもよい。
【００１２】
バンド２０は、ステンレス、チタン等の金属材料で形成された駒２１を多数連結して構成され、時計本体１０の時計ケース１１のカンと称せられる部位に連結される。バンド２０は、上バンド２０Ａと、下バンド２０Ｂとからなり、これら上バンド２０Ａと、下バンド２０Ｂとは、この腕時計１を装着部位（装着者の手首）に留めるため、図示しない中留で係止されている。
また、上バンド２０Ａと下バンド２０Ｂの各駒２１のうち、時計ケース１１と連結される駒２１Ａ、２１Ｂには、ねじ込み式の連結ピンを模した飾りピン３０が設けられている。なお、実際には、バンド２０と時計ケース１１との連結は、時計ケース１１の両端に一体的に形成された凸部１１Ａ、１１Ｂにばね棒等の連結ピン４０（図１中波線で示す）が挿通され、この連結ピン４０の両端が駒２１Ａ、２１Ｂに嵌め込まれることによって行われている。
【００１３】
図２は飾りピン３０を示す図であり、図３は駒２１Ａを示す図であり、図４は駒２１ＡのＡ−Ａ断面を示す図である。図２に示すように、飾りピン３０は、ピン部３１にねじ溝が形成されておらず、このピン部３１にはローレットが転造される。
駒２１Ａには、両側面に、飾りピン３０を挿入する挿入穴（第１の穴）５０が形成されると共に、この挿入穴５０と連通するように、連結ピン４０の両端が嵌め込まれる穴５１が形成される。なお、駒２１Ｂは、駒２１Ａと同一に形成されるため、その詳細な説明は省略する。
【００１４】
次いで、飾りピン３０の固定方法について説明する。なお、以下の説明では、駒２１Ａに飾りピン３０を固定する場合について詳述するが、駒２１Ｂに飾りピン３０を固定する場合も同様である。
まず、飾りピン３０を駒２１Ａの挿入穴５０に挿入する。ここで、飾りピン３０のローレットの部分と挿入穴５０とは、しまりばめのはめあいに形成され、飾りピン３０を打ち込むことによって飾りピン３０が挿入穴５０に嵌め込まれる。
【００１５】
次に、図４に示すように、駒２１Ａの裏側から、具体的には、バンド２０の装着部位である手首側の面から、飾りピン３０のピン部３１を略垂直に貫通する袋穴（第２の穴）５２を開け、袋穴５２に、この袋穴５２と略同径の棒状のピン６０を打ち込む。これによって、飾りピン３０を貫通したピン６０の両端が袋穴５２に位置し、飾りピン３０の抜けが防止される。棒状のピン６０を打ち込んだ後は、袋穴５２の入口を所定の部材で叩いてかしめる（図４中、符号α参照）ことによって、棒状のピン６０の抜けが防止される。これによって、棒状のピン６０および飾りピン３０が抜けることなく、駒２１Ａに固定される。
【００１６】
以上説明したように、駒２１Ａ、２１Ｂの側面に飾りピン３０を挿入する挿入穴５０を設け、この挿入穴５０に飾りピン３０を挿入した後に、飾りピン３０の軸を貫通する袋穴５２を設けてこの袋穴５２にピン６０を打ち込んで飾りピン３０の抜け止めを行うと共に、袋穴５２の入口をかしめてピン６０の抜け止めを行うことにより、簡易かつ強固に飾りピン３０を固定することできる。このため、例え、飾りピン３０に外部から回転力や引き抜く力が加えられても、飾りピン３０が抜けることがない。また、ロウ付けの場合のように飾りピン３０や駒２１Ａ、２１Ｂの材質の制限がなく、様々な金属材料や樹脂材料を適用することができる。さらに、袋穴５２を駒２１Ａ、２１Ｂの裏側から開けているので、腕時計１を手首に装着した状態では袋穴５２は見えず、外観を損ねることもない。
【００１７】
上述した実施形態は、あくまでも本発明の一態様を示すものであり、本発明の範囲内で任意に変形が可能である。以下、各変形例について説明する。
上述した実施形態では、袋穴５２の入口をかしめてピン６０の抜け止めを行う場合について述べたが、ピン６０に代えてスプリングピン６１を打ち込むようにしてもよい。スプリングピン６１は、それ自体が弾性変形により周方向に伸縮するため、袋穴５２に打ち込むとその弾性力によって袋穴５２から抜けにくくなる。このため、袋穴５２の入口をかしめる工程を省略することが可能となる。
【００１８】
このスプリングピン６１としては、図５（Ａ）に示す一般のスプリングピンと用いてもよいが、図５（Ｂ）に示すように、端部の径が他の部分の径に比して小さく形成され、かつ、その軸方向に渡ってジグザグ状の隙間６２が形成されたリング状の弾性部材からなるスプリングピン６１Ａを用いることがより好ましい。このスプリングピン６１Ａによれば、端部の径が他の部分の径に比して小さく形成されているので、スプリングピン６１Ａを袋穴５２に真っ直ぐに挿入し易くなり、かつ、スプリングピン６１Ａが収縮した時には、隙間６２を介して対向する部材６１Ａ１と部材６２Ａ２とが噛み合うので、軸方向にずれることがなく、スプリングピン６１Ａを安定して袋穴５２に保持させることが可能となる。
【００１９】
図６は他の変形例に係る飾りピン３０１を示す図であり、図７はこの変形例に係る駒２１Ａ１の平面図であり、図８は駒２１Ａ１のＢ−Ｂ断面を示す図である。図６に示すように、飾りピン３０１には、ローレットの部分３０２に比して先端部３０３が細身に形成される。
図７及び図８に示すように、駒２１Ａ１には、飾りピン３０１の挿入穴（第１の穴）５０１として、段付きの穴、具体的には、飾りピン３０１のローレット部分３０２と略同径の穴５０１Ａと、先端部３０３と略同径の穴５０１Ｂとが予め形成される。また、駒２１Ａ１の裏側からこの穴５０１Ｂを略垂直に貫通する袋穴（第２の穴）５１１が予め形成される。
そして、この飾りピン３０１を駒２１Ａ１に固定する場合は、飾りピン３０１を挿入穴５０１に打ち込んだ後、袋穴５２１から所定の棒部材（変形用部材）βを打ち込んで、この挿入穴５０１に挿入された飾りピン３０１の先端部３０３の一部を袋穴５２１の軸方向に変形させる。これにより、飾りピン３０１が抜けなくなり、上記各実施形態と同様に、飾りピン３０１を簡易かつ強固に固定すること可能となる。
【００２０】
なお、上述した実施形態では、袋穴５１及び５２をそれぞれ挿入穴５０及び５０１に対して略垂直方向に形成する場合について述べたが、これら袋穴５１及び５２を駒２１Ａ、２１Ａ１の裏側から開ければよく、斜めに開けてもよい。また、上述した実施形態では、駒２１に飾りピンを固定する場合について述べたが、時計本体１０に飾りピンを固定する場合にも適用可能なことは云うまでもない。また、時計に限らず、ブレスレット等の装身具等（飾りピン固定体）に飾りピンを固定する場合にも広く適用が可能である。
【図面の簡単な説明】
【００２１】
【図１】本発明の実施形態に係る腕時計の外観構成を示す図である。
【図２】飾りピンを示す図である。
【図３】腕時計の駒を示す図である。
【図４】駒のＡ−Ａ断面を示す図である。
【図５】スプリングピンを示す図である。
【図６】変形例に係る飾りピンを示す図である。
【図７】変形例に係る腕時計の駒を示す図である。
【図８】駒のＢ−Ｂ断面を示す図である。
【符号の説明】
【００２２】
１…腕時計、１０…時計本体、１１…時計ケース、２１、２１Ａ、２１Ｂ、２１Ａ１…駒、３０、３０１…飾りピン、５０、５０１…挿入穴、５２、５２１…袋穴、６０…ピン、６１、６１Ａ…スプリングピン。
【図１】
2005160531.tif 000003
【図２】
2005160531.tif 000004
【図３】
2005160531.tif 000005
【図４】
2005160531.tif 000006
【図５】
2005160531.tif 000007
【図６】
2005160531.tif 000008
【図７】
2005160531.tif 000009
【図８】
2005160531.tif 000010